(57)【要約】【課題】本発明は、着脱し易いクッションパッドを有するケースを提供することを目的とする。【解決手段】本発明のクッションパッドを有するケースは、底板を有するケース本体及び前記底板に装着されるクッションパッドを備え、前記ケース本体は前記クッションパッドによってプラットフォーム上に配置され、前記底板には収容部及び切欠部が設けられ、前記クッションパッドの前記底板に対面する片側の面には接続部及び係合部からなる係合塊が設けられ、前記係合部を前記切欠部内に貫通させると共に、前記接続部を前記収容部に収容させてから、前記クッションパッドを前記ケース本体に対して相対的に回転させて前記係合部を前記切欠部からずらすことで、前記クッションパッドを前記底板に固定する。【選択図】図２
2014059864.tif 000002
【特許請求の範囲】
【請求項１】
底板を有するケース本体及び前記底板に装着されるクッションパッドを備え、前記ケース本体は前記クッションパッドによってプラットフォーム上に載置され、前記底板には収容部及び切欠部が設けられ、前記クッションパッドの前記底板に対面する片側の面には接続部及び係合部からなる係合塊が設けられ、前記係合部を前記切欠部内に貫通させると共に、前記接続部を前記収容部に収容させてから、前記クッションパッドを前記ケース本体に対して相対的に回転させて前記係合部を前記切欠部からずらすことで、前記クッションパッドを前記底板に固定することを特徴とするクッションパッドを有するケース。
【請求項２】
前記底板には貫通孔が設けられ、前記クッションパッドの前記底板に対面する片側の面には収容塊がさらに設けられ、前記収容塊は前記貫通孔に収容されることを特徴とする、請求項１に記載のクッションパッドを有するケース。
【請求項３】
前記貫通孔の周辺にはストリップが設けられ、前記収容部は前記ストリップの外側に設けられ、前記切欠部は前記ストリップに設けられ、前記切欠部を介して前記収容部と前記貫通孔とが連通することを特徴とする、請求項２に記載のクッションパッドを有するケース。
【請求項４】
前記ストリップの前記切欠部に近い箇所には突出部が設置され、前記ストリップの前記突出部に近い箇所には当接部が設置され、前記係合部は前記突出部と前記当接部との間に係合し、前記突出部は前記係合部が前記切欠部側に戻るのを規制することを特徴とする請求項３に記載のクッションパッドを有するケース。
【請求項５】
前記接続部は前記クッションパッドの前記底板に対面する片側の面に対して垂直に設けられ、前記係合部は前記接続部の先端部に接続されることを特徴とする、請求項１から４のいずれか一項に記載のクッションパッドを有するケース。
【請求項６】
前記クッションパッドの前記底板に背向する片側には、突出された支持面が形成されていることを特徴とする、請求項１から５のいずれか一項に記載のクッションパッドを有するケース。
【発明の詳細な説明】
【技術分野】
【０００１】
本発明は、ケースに関するものであり、特にクッションパッドを有するケースに関するものである。
【背景技術】
【０００２】
ノートパソコン、タブレットのような電子装置はテーブルのようなプラットフォーム上に載置させて使用する場合があるが、電子装置をプラットフォーム上に直接載置させると、電子装置の表面がプラットフォームと直接接触する。このため、電子装置を動かしたときに摩擦によって電子装置の表面が損耗し易く、その結果、電子装置の使用寿命が短縮される場合がある。さらに、電子装置をプラットフォーム上に直接載置させると、電子装置とプラットフォームとの間の空気流通が阻害されるので、電子装置の放熱にも悪い影響を与える。
【発明の概要】
【発明が解決しようとする課題】
【０００３】
本発明の目的は、前記課題を解決するためのクッションパッドであって、着脱し易いクッションパッドを有するケースを提供することである。
【課題を解決するための手段】
【０００４】
本発明に係るクッションパッドを有するケースは、底板を有するケース本体及び前記底板に装着されるクッションパッドを備え、前記ケース本体は前記クッションパッドによってプラットフォーム上に載置され、前記底板には収容部及び切欠部が設けられ、前記クッションパッドの前記底板に対面する片側には接続部及び係合部からなる係合塊が設置され、前記係合部を前記切欠部内に貫通させると共に、前記接続部を前記収容部に収容させてから、前記クッションパッドを前記ケース本体に対して相対的に回転させて前記係合部を前記切欠部からずらすことで、前記クッションパッドを前記底板に固定する。
【発明の効果】
【０００５】
本発明において、着脱しやすいクッションパッドによってケース本体をプラットフォームに支持することができる。
【図面の簡単な説明】
【０００６】
【図１】本発明の実施形態に係るクッションパッドを有するケースの斜視図である。
【図２】図１に示すクッションパッドを有するケースの一部分を示す分解斜視図である。
【図３】図１に示すクッションパッドを有するケースの一部分を示す分解斜視図である。
【図４】図２に示すクッションパッドを有するケースの一部分を示す組立図である。
【図５】図２に示すクッションパッドを有するケースの一部分を示す組立図である。
【発明を実施するための形態】
【０００７】
以下、図面を参照して、本発明の実施形態について説明する。
【０００８】
図１を参照すると、本発明の実施形態に係るクッションパッドを有するケースは、ケース本体１０と、ケース本体１０に装着される４つのクッションパッド２０と、を備える。
【０００９】
図１〜図３を併せて参照すると、ケース本体１０は底板１６を備え、底板１６の四隅にはそれぞれ１つのクッションパッド２０を装着するための貫通孔１１が開設される。底板１６の内側（ケース本体１０の内部側）における貫通孔１１の周辺にはストリップ１５が立設され、底板１６のストリップ１５の外側には２つの円弧形の収容部１２が開設される。ストリップ１５のうちの、各々の収容部１２に隣接する箇所には切欠部１３が開設され、収容部１２は切欠部１３を介して貫通孔１１に連通される。ストリップ１５の切欠部１３に近い箇所には突出部１５１が突設され、ストリップ１５の突出部１５１に近い箇所には当接部１５６が設置され、突出部１５１は切欠部１３と当接部１５６との間に位置する。
【００１０】
クッションパッド２０の一方側の面には、クッションパッド２０をケース本体１０に装着させたときに底板１６の外側に突出される支持面２１が形成され、この支持面２１は、球面形状であり且つ弾性材料からなる。クッションパッド２０の他方側の面の中央には長方円形の収容塊２３が凸設され、収容塊２３の長手方向の両端面はそれぞれ円弧形の係合面２３１である。クッションパッド２０の他方側の面の外周部には、収容塊２３の短手方向の両側にそれぞれ１つの係合塊２５が凸設されている。各々の係合塊２５は接続部２５１及び係合部２５３を備えている。接続部２５１は、クッションパッド２０の他方側の面から垂直に突設されており、底板１６の収容部１２内に収容されることができる。係合部２５３は、接続部２５１の先端部（クッションパッド２０に接続された一端の反対側の他端）に接続されおり、収容塊２３側に向かって突出している。係合部２５３の外形寸法は切欠部１３の外形寸法よりも若干小さい。
【００１１】
図１〜図４を併せて参照すると、クッションパッド２０をケース本体１０に装着する場合、先ず、クッションパッド２０を、収容塊２３が設けられた一方側の面を底板１６に対面させるような向きにする共に、係合塊２５の係合部２５３を底板１６の切欠部１３に位置合わせしたうえで、クッションパッド２０を貫通孔１１側に押し込み、係合部２５３を切欠部１３に貫通させるとともに、係合塊２５の接続部２５１を底板１６の収容部１２に収容させ、さらに、収容塊２３を底板１６の貫通孔１１に収容させる。次に、クッションパッド２０をケース本体１０に対して相対的に回転させる。これにより、係合塊２５の接続部２５１は収容部１２内で移動し、係合塊２５の係合部２５３はストリップ１５に沿ってスライドして突出部１５１を乗り越えて当接部１５６に当接して、係合塊２５の係合部２５３がストリップ１５の突出部１５１と当接部１５６との間に係合される。このとき、突出部１５１は係合部２５３が切欠部１３側に戻るのを規制して、クッションパッド２０がケース本体１０から脱落しないようになっている。
【００１２】
４つのクッションパッド２０をケース本体１０の底板１６に装着させると、４つのクッションパッド２０の支持面２１はテーブルのようなプラットフォームに接触してケース本体１０を支持する。このとき、クッションパッド２０の支持面２１は弾性を有するので振動を吸収することができ、クッションパッド２０によってケース本体１０はプラットフォームから離間され、電子装置が放熱されやすくなる。
【００１３】
図５を参照すると、クッションパッド２０をケース本体１０から取り外す場合、クッションパッド２０を、取り付け時の回転方向と反対の方向に、ケース本体１０に対して相対的に回転させる。これにより、係合部２５３が突出部１５１を乗り越えて切欠部１３の位置まで戻る。そして、クッションパッド２０をケース本体１０から離れる方向に移動させて、係合部２５３を切欠部１３から抜き出させることで、クッションパッド２０をケース本体１０から取り外すことができる。
【００１４】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００１５】
１０  ケース本体
１１  貫通孔
１２  収容部
１３  切欠部
１５  ストリップ
１６  底板
２０  クッションパッド
２１  支持面
２３  収容塊
２５  係合塊
１５１  突出部
１５６  当接部
２３１  係合面
２５１  接続部
２５３  係合部
【図１】
2014059864.tif 000003
【図２】
2014059864.tif 000004
【図３】
2014059864.tif 000005
【図４】
2014059864.tif 000006
【図５】
2014059864.tif 000007